(57)【要約】【課題】ノック式筆記具において、筆記時におけるノック体の「がたつき問題」を解消し、かつ書き味を向上するための筆圧緩衝用スプリングを配した構造としたノック式筆記具を提案する。【解決手段】ボールペンレフィル１３の後端部に、ばね受け部１６を有した保持筒１７を連接する。棒状軸部２０とノック部２１とからなるノック体２２を、棒状軸部２０を固定カム８と回転カム１０に挿通して、回転カム１０の前端１０ｂに当接可能なばね受け部材２３を固着する。前記ばね受け部材２３と回転カム１０との間に第２の圧縮コイルばね２４を配設する。前記保持筒１７のばね受け部１６とばね受け部材２３との間に、第３の圧縮コイルばね２５を配設する。【選択図】図１
2008279672.tif 000002
【特許請求の範囲】
【請求項１】
軸筒内にばねにより後方に付勢して収容した筆記体の筆記先端部を、軸筒に設けた、カム溝と、該カム溝に沿って前後に摺動可能に配設した先端に凹凸状のカムを有した固定カムと、前記カムに噛合うカム受け部を有した回転カムと、固定カムを押圧するためのノック体とで構成されたノック式繰出機構により、軸筒の先端開口部より出没させるノック式筆記具であって、前記筆記体にばね受け部を有した保持筒を連接し、前記ノック体を棒状軸部と該棒状軸部の外径より大径な外径を有するノック部とで構成し、棒状軸部を固定カムおよび回転カム内に挿通し、ノック部を固定カムの後方に位置させてノック体を設けるとともに、回転カムより前方の位置の棒状軸部に、回転カムに当接可能なばね受け部を設け、一定のたわみ量に対する弾発力が前記筆記体を後方に付勢する第１のばねと同等若しくは弱い第２のばねを、一端をノック体に設けたばね受け部に他端を回転カムの内壁面に当接させて設け、第１のばねより強い第３のばねを、一端をノック体に設けたばね受け部に他端を保持等のばね受け部に当接させて設けて、ノック体のばね受け部を回転カムに当接し、ノック体のノック部の少なくとも一部を軸筒の後端から外方に突出し、ノック部の前方端部と固定カムの後端とを離間し、ノック体の押圧により、ノック体のノック部が固定カムに当接してノック体のばね受け部が回転カムから離間した状態で固定カムと回転カムを前進させ、筆記体の筆記先端部が軸筒の先端開口部より突出するようにしたことを特徴とする、ノック式筆記具。
【発明の詳細な説明】
【技術分野】
【０００１】
本発明は、ノック式筆記具に関する。
【背景技術】
【０００２】
従来より、軸筒内にばねにより後方に付勢して収容した筆記体の筆記先端部を、軸筒に設けた、カム溝と、該カム溝に沿って前後に摺動可能に配設した先端に凹凸状のカムを有した固定カムと、前記カムに噛合うカム受け部を有した回転カムと、固定カムを押圧するためのノック体とで構成されたノック式繰出機構により、軸筒の先端開口部より出没させてなるノック式筆記具は知られている。このノック式筆記具においては、ノック体を押圧するとノック体により固定カムが押圧されて前進し、固定カムの前進により回転カムが連動してカム溝に沿って前進し、回転カムに直接的にまたは間接的に連接した筆記体も連動して前進し、筆記先端部を軸筒の先端開口部から突出する。回転カムは回転してカム溝の係止部に係止して後退を抑制されるので、筆記先端部は軸筒の先端開口部から突出した状態を維持する。筆記先端部を軸筒内に没入させるには、再度ノック体を押圧して回転カムを若干前進させて回転させ、回転カムのカム溝の係止部との係止を解除する。ばねにより後端側へ付勢された筆記体を介して回転カムおよび固定カムは後方へ押圧されるので後退し、筆記体も後退して筆記先端部を軸筒内に没入する。
【０００３】
ノック体を押圧して筆記体の筆記先端部を軸筒の先端開口部より突出した際には、前記したように回転カムはカム溝の先端に設けた係止部に係止するので、回転カムは後退することなく前進位置を維持するが、ノック体および固定カムは回転カムから離れて後退可能となる。ノック体および固定カムは、回転カムと元の位置との間でカム溝に沿って前後動可能となり「ノック体のがたつき」という問題を有している。この「ノック体のがたつき」を解消するものとして、例えば特開平１０−２６４５８３号の公報により、カム筒（回転カム）の後端とノック部材（ノック体）の前端との間に戻しばねを配設する技術が開示されている。
【０００４】
しかし、この技術においては、ノック部材（ノック体）が押圧されて、軸筒内に収容された筆記体の筆記先端部が軸筒の先端開口部より突出した状態でもノック体は元の位置に戻っているので、例えば筆記具を衣服等のポケットに挿着した際に、誤ってノック体を押圧してしまうと、筆記体の筆記先端部を軸筒の先端開口部より突出した状態であることが、筆記具の頭部を見ただけでは判別できないという問題がある。そのために、筆記先端部が布地等と接触し、筆記体に充填されたインキが布地等に染み渡り、衣類等をインキで汚してしまうおそれがある。
【０００５】
ところで、軸筒内にボールペンレフィルを収容した構造の筆記具においては、筆記時における書き味を改善するために、筆記時における筆圧を緩衝するものとして筆圧緩衝用スプリングを備えた構造が従来より多数提案されており、カム溝とノック体と回転カムとで構成したノック式繰出機構を配設したノック式筆記具においても、実開昭５７−１６３３７６号の公報により、軸筒内に押出機構を備えた押出式ボールペンにおいて、押出機構と軸筒内に収容したボールペンレフィルとの間に、ボールペンレフィルを軸筒内に引込むためのばねよりも強い弾発力の筆圧緩衝用弾性部材を介在させた「押出式ボールペン」に係る考案が提案されている。
【０００６】
しかし、従来より知られている、軸筒内にばねにより後方に付勢して収容した筆記体の筆記先端部を、軸筒に設けた、軸筒の内壁面に形成したカム溝と、該カム溝に沿って前後に摺動可能に配設した先端に凹凸状のカムを有した固定カムと前記カムに噛合うカム受け部を有した回転カムと、固定カムを押圧するためのノック体で構成されたノック式繰出機構により、軸筒の先端開口部より出没させてなるノック式筆記具において、前記したノック体の「がたつき問題」を解消し、かつ筆記時における筆圧を緩衝する構造を有したものはなかった。
【特許文献１】特開平１０−２６４５８３号公報
【特許文献２】実開昭５７−１６３３７６号公報
【発明の開示】
【発明が解決しようとする課題】
【０００７】
本発明は、軸筒内にばねにより後方に付勢して収容した筆記体の筆記先端部を、軸筒に設けた、軸筒の内壁面に形成したカム溝と、該カム溝に沿って前後に摺動可能に配設した先端に凹凸状のカムを有した固定カムと前記カムに噛合うカム受け部を有した回転カムと、固定カムを押圧するためのノック体で構成されたノック式繰出機構により、軸筒の先端開口部より出没させるノック式筆記具において、筆記時におけるノック体の「がたつき問題」を解消し、かつ書き味を向上するための筆圧緩衝用スプリングを配した構造としたノック式筆記具を提案するものである。<BR>
【課題を解決するための手段】
【０００８】
本発明は、
「１．軸筒内にばねにより後方に付勢して収容した筆記体の筆記先端部を、軸筒に設けた、カム溝と、該カム溝に沿って前後に摺動可能に配設した先端に凹凸状のカムを有した固定カムと、前記カムに噛合うカム受け部を有した回転カムと、固定カムを押圧するためのノック体とで構成されたノック式繰出機構により、軸筒の先端開口部より出没させるノック式筆記具であって、前記筆記体にばね受け部を有した保持筒を連接し、前記ノック体を棒状軸部と該棒状軸部の外径より大径な外径を有するノック部とで構成し、棒状軸部を固定カムおよび回転カム内に挿通し、ノック部を固定カムの後方に位置させてノック体を設けるとともに、回転カムより前方の位置の棒状軸部に、回転カムに当接可能なばね受け部を設け、一定のたわみ量に対する弾発力が前記筆記体を後方に付勢する第１のばねと同等若しくは弱い第２のばねを、一端をノック体に設けたばね受け部に他端を回転カムの内壁面に当接させて設け、第１のばねより強い第３のばねを、一端をノック体に設けたばね受け部に他端を保持等のばね受け部に当接させて設けて、ノック体のばね受け部を回転カムに当接し、ノック体のノック部の少なくとも一部を軸筒の後端から外方に突出し、ノック部の前方端部と固定カムの後端とを離間し、ノック体の押圧により、ノック体のノック部が固定カムに当接してノック体のばね受け部が回転カムから離間した状態で固定カムと回転カムを前進させ、筆記体の筆記先端部が軸筒の先端開口部より突出するようにしたことを特徴とする、ノック式筆記具。」
である。
【０００９】
本発明のノック式筆記具においては、筆記体を後方へ付勢するための第１のばねと、筆記体に連接した保持筒の第１ばね受け部とノック体に設けたばね受け部との間に配設する第３のばねの強さ関係が重要であり、第３のばねの方が強く、すなわち一定のたわみ量に対する弾発力が大きくなければならない。また、ノック体の非押圧時で回転カムおよび固定カムがカム溝の後方に位置した通常の状態において、筆記体の筆記先端部が軸筒の開口端部より突出しないようにばねの仕様を各々選定して設ける必要がある。
【００１０】
本発明における第３のばねは、緩衝用ばねとしての役目を果たすとともに、筆記体の筆記先端部を軸筒の先端開口部に没入した際にノック体を元の位置に後退させるためのものである。しかし、ノック体が第３のばねの弾発力を受けて後退すると、強い荷重で回転カムに衝接し、回転カムや固定カムが損傷する可能性がある。この懸念事項を解消するために、ノック体のばね受け部と回転カムを離間させ、第３のばねの弾発力より弱い弾発力の第２のばねで回転カムを作動させる。
【００１１】
本発明においては固定カムとノック体を、固定カムの後端とノック体のノック部の前方端部とが当接しないように離間させて各々を配設するが、その理由は、回転カムの固定カムに対する回転をスムーズなものとするためである。そのために、筆記体の筆記先端部が軸筒の先端開口部から突出した状態または没入した状態において、固定カムは軸筒の後方へ前記離間距離分の後退が可能となりがたつきが生じてしまう。離間距離を短くすればするほど固定カムのがたつきの距離は短くなるので短くする必要があるが、離間距離を０にすることはできない。その理由は、ノック体を押圧して固定カムと回転カムを前進させ、筆記体の筆記先端部を軸筒の先端開口部より出没させるために、回転カムを固定カムに対して回転させる必要があるが、離間していないと、ノック体のノック部とノック体に設けたばね受け部により回転カムと固定カムは挟持された状態で回転カムは固定カムに対して回転しなければならなく、第３のばねの作用により回転カムと固定カムは強い力で当接するので、回転カムが回転し難くなったり、回転カムの回転の際に、固定カムのカムや回転カムのカム受け部を損傷するおそれが生じるからである。
【発明の効果】
【００１２】
本発明のノック式筆記具は前記したような構造なので、筆記体の筆記先端部が軸筒の先端開口部から突出した状態においては、第３のばねにより、ノック体は後方へ付勢された状態でノック体に設けたばね受け部が回転カムに当接し、回転カムはカム溝の係止部に係止してるのでノック体が軸筒内を前後に摺動することがなく前後にがたつくことはない。また、ノック体は前進した位置に保持されるので、衣服等のポケットに挿着した際に、筆記体の筆記先端部を軸筒の先端開口部より突出した状態であることが、ノック体の軸筒からの突出量を見ただけで判別することができる。
【００１３】
また、筆記体の筆記先端部が軸筒の先端開口部から突出した状態の際には、第３のばねが筆記時における筆圧を緩衝する緩衝用ばねとして作用するので、筆記中の筆圧が高筆圧の状態で長時間筆記しても、疲労を軽減することができる。
【００１４】
筆記体の筆記先端部を軸筒の先端開口部から出没する際に、第３のばねの作用によりノック体に設けたばね受け部が回転カムに衝接し、その衝接により回転カムと固定カムは強い力で当接するが、本発明は前記したような構造なので、筆記体の筆記先端部を軸筒の先端開口部から出没させるため出没動作時に、前記ばねの作用による回転カムや固定カムへの強い衝撃力がそのままかかることがないので、前記部材を損傷するおそれがない。
【発明を実施するための最良の形態】
【００１５】
本発明のノック式筆記具は、従来より知られている、筆記体の後方の軸筒の内壁面に形成したカム溝と、該カム溝に沿って前後に摺動可能に配設した先端に凹凸状のカムを有した固定カムと前記カムに噛合うカム受け部を有した回転カムと、固定カムを押圧するためのノック体で構成されたノック式繰出機構を軸筒内に設けたものである。
【実施例】
【００１６】
本実施例を図面を用いて説明するが、ノック式筆記具として軸筒内にボールペンレフィルを収容したノック式ボールペンを例にあげて説明するが、これに限定されるものではない。図１は、本実施例のノック式ボールペンの縦断面図である。図２は、図１における要部の拡大図である。図３は、本実施例のノック式ボールペンにおける動作を示し、ノック体を押圧した当初の状態を示した図である。 図４は、本実施例のノック式ボールペンにおける動作を示し、筆記体の筆記先端部が軸筒の先端開口部より突出して内壁に当接した状態を示した図である。図５は、本実施例のノック式ボールペンにおける動作を示し、回転カムが固定カムに対して回転するときの状態を示した図である。図６は、本実施例のノック式ボールペンにおいて、筆記体の筆記先端部が軸筒の先端開口部より突出した状態を維持した状態を示した図である。
【００１７】
本実施例のノック式ボールペン１は、図１および図２に示すように、軸筒２を、先端開口部３を有する口先筒２ａと前軸２ｂと後軸２ｃとで構成し、口先筒２ａと前軸２ｂが、前軸２ｂと後軸２ｃとがそれぞれ着脱自在に螺着して取付けてある。口先筒２ａの先端内壁面には、軸径方向を平坦とした段部４を形成してある。前軸２ｂにはグリップ５を装着してある。後軸２ｃには、従来のノック式の繰出機構を有したノック式ボールペンと同様に、後軸の内壁面にカム溝６を形成し、先端に山型状の凹凸からなるカム７を有した固定カム８と、前記カム面に噛合うカム受け部９を有した回転カム１０を前記カム溝６に沿って摺動可能に配設してある。回転カム１０には、固定カム８内に挿通する軸部１０ａを設けてあり、軸部１０ａは固定カム８に対して摺動可能に配してある。
【００１８】
軸筒２内には、筆記先端部となるボールペンチップ１１をインキ（図示せず）を収容したインキ収容筒１２の先端に装着してなる筆記体としてのボールペンレフィル１３を収容し、一端を口先筒２ａの内壁面に他端をボールペンレフィル１３に形成した外方に突出した突出部１４に当接して配した第１の圧縮コイルばね１５により後方（繰出機構側）に付勢してある。この第１の圧縮コイルばね１５はノック式ボールペンにおいて一般的に採用されているものである。ボールペンレフィル１３の後端部には、ばね受け部１６を有した保持筒１７を連接してある。
【００１９】
前記した固定カム８は前後を貫通した貫通孔１８を有しており、回転カム１０の軸部１０ａを前記貫通孔１８に挿入してある。また、回転カム１０も軸部１０ａを含んで前後に貫通した貫通孔１９を有している。棒状軸部２０と該棒状軸部２０の外径より大径な外径を有したノック部２１とで構成したノック体２２を、棒状軸部２０を固定カム８と回転カム１０の軸部１０ａおよび回転カム１０に挿通し、ノック体２２の一端を後軸２ｃの後端より突出させて後軸２ｃ内に配設してある。棒状軸部２０の前方端には、前記回転カム１０の前端１０ｂに当接させてばね受け部材２３を固着してある。また、回転カム１０内には、一端を回転カム１０の内壁面に当接し他端を前記ばね受け部材２３に当接させて、一定のたわみ量に対する弾発力が前記第１の圧縮コイルばね１５よりは弱い第２の圧縮コイルばね２４を配設してある。
【００２０】
また、前記保持筒１７とばね受け部材２３との間にも、一端を保持筒１７のばね受け部１６に当接し、他端を受け部材２３の前端面に当接させて、一定のたわみ量に対する弾発力が第１の圧縮コイルばね１３よりも強い荷重の弾発力を有する第３の圧縮コイルばね２５を設けてある。本実施例では、第３の圧縮コイルばね２５は略自然長状態で、第１の圧縮コイルばね１５は圧縮状態で設けてあり、第１および第３の圧縮コイルばねの選定には注意が必要である。第２の圧縮コイルばね２４は圧縮状態で設けてあるが、固定カム８、回転カム１０およびノック体２２で構成されるノック式繰出機構を構成する１つの系として前記第１および第３の圧縮コイルばねとは独立して設けてある。
【００２１】
本実施例のノック式ボールペン１における動作を図３〜図６を用いて説明すると、先ず図３に示すように、ノック体２２のノック部２１を押圧すると、ノック体２２が前進し、固定カム８の後端部に当接し、ノック体２２に固着したばね受け部材２３は、回転カム１０の前端１０ｂより離間する。保持筒１７のばね受け部１６とノック体２２の棒状軸部２０に固着したばね受け部材２３との間に配設した第３の圧縮コイルばね２５は、前記したように、ボールペンレフィル１３を後方へ付勢する第１の圧縮コイルばね１５より一定のたわみ量に対する弾発力が強いため、第３の圧縮コイルばね２５をさらに圧縮することなく、若干ボールペンレフィル１３を前進させる。この時点では、ボールペンレフィル１３のボールペンチップ１１の先端部は口先筒２ａの先端開口部３より突出しない。
【００２２】
さらにノック体２２のノック部２１を押圧すると、図４に示すように、ノック体２２に押圧されて固定カム８と該固定カム８に押圧された回転カム１０がカム溝６に沿って前進し、インキ収容等筒１２の先端段部２６が口先筒２ａの内壁面の段部４に衝接し、ボールペンチップ１１の先端部が口先筒２ａの先端開口部３より突出する。
【００２３】
またさらにノック体２２のノック部２１を押圧することで、図５に示すように、さらに回転カム１０と固定カム８は連動してカム溝６に沿って前進し、回転カム１０がカム溝６から離間して、固定カム８に設けたカム７と、回転カム１０に設けた前記カム７に噛合うカム受け部９との作用により回転しようとする。ノック体２２に固着したばね受け部材２３と保持筒１７は最も接近し、第３の圧縮コイルばね２５は最も圧縮する。インキ収容等筒１２の先端段部２６は、口先筒２ａの内壁面の段部４に衝接するようにしてある。第２の圧縮コイルばね２４は、回転カム１０と固定カム８を押圧し、回転カム１０を回転させる役割を担う。
【００２４】
図６に示すように、回転カム１０が、回転して後退し、カム溝６の係止部（図示せず）に係止することで、ボールペンチップ１１の先端部が口先筒２ａの先端開口部３より突出した状態が維持される。このとき、ノック体２２のノック部２１への押圧が解除されると、ノック体２２に固着したばね受け部材２３が第３の圧縮コイルばね２５の弾発力を受けてノック体２２は後退し、ばね受け部材２３は回転カム１０の前端１０ｂに当接する。このとき、インキ収容等筒１２の先端段部２６は、口先筒２ａの内壁面の段部４に衝接している。ノック体２２のノック部２１の前方端部２１ａと固定カム８の後端８ａは離間しており、固定カム８は若干前後に摺動可能となっている。
【００２５】
ボールペンチップ１１の先端部を口先筒２ａの先端開口部３より没入させるには、従来のノック式の繰出機構と同様に、再度ノック体２２を押圧して回転カム１０を若干前進させて回転させ、回転カム１０のカム溝６の係止部（図示せず）との係止を解除して、第３の圧縮コイルばね２５の弾発力により、ノック体２２、回転カム１０、固定カム８を後方へ摺動し、元の位置に復帰する。
【産業上の利用可能性】
【００２６】
本発明は、軸筒の内壁面に形成したカム溝とノック体と回転カムと固定カムとで構成されたノック式繰出機構を有した、ボールペンやマーカー等のノック式筆記具に採用することができ、筆記時における「筆圧緩衝」を実現したい場合や、筆記時における「ノック体のがたつき」を解消したい場合に採用することができる。また、第３のばねの強さを調整することで、筆記時における「筆記体のがたつき」を防止可能なノック式筆記具としても利用することができる。
【図面の簡単な説明】
【００２７】
【図１】本実施例のノック式ボールペンの縦断面図である。
【図２】図１における要部の拡大図である。
【図３】本実施例のノック式ボールペンにおける動作を示し、ノック体を押圧した当初の状態を示した図である。
【図４】本実施例のノック式ボールペンにおける動作を示し、筆記体の筆記先端部が軸筒の先端開口部より突出して内壁に当接した状態を示した図である。
【図５】本実施例のノック式ボールペンにおける動作を示し、回転カムが固定カムに対して回転するときの状態を示した図である。
【図６】本実施例のノック式ボールペンにおいて、筆記体の筆記先端部が軸筒の先端開口部より突出した状態を維持した状態を示した図である。
【符号の説明】
【００２８】
１  ノック式ボールペン
２  軸筒
２ａ  口先筒
３  先端開口部
６  カム溝
７  カム
８  固定カム
９  カム受け部
１０  回転カム
１１  ボールペンチップ
１３  ボールペンレフィル
１５  第１の圧縮コイルばね
１６  ばね受け部
１７  保持筒
２０  棒状部
２１  ノック部
２２  ノック体
２３  ばね受け部材
２４  第２の圧縮コイルばね
２５  第３の圧縮コイルばね
【図１】
2008279672.tif 000003
【図２】
2008279672.tif 000004
【図３】
2008279672.tif 000005
【図４】
2008279672.tif 000006
【図５】
2008279672.tif 000007
【図６】
2008279672.tif 000008